(57)【要約】  本発明は、空調システム及びその制御方法を開示する。該空調システムは、室内空間を空調することに用いられ、室内機本体を含み、前記室内機本体が、チャンバーと、前記チャンバー内に設けられた熱交換器と、を含む。前記空調システムは、前記室内空間と前記チャンバーとを連通させ得る少なくとも１つの還気口をさらに含み、前記少なくとも１つの還気口は、前記室内空間の下方に配置される第１の還気口を含む。本願に係る空調システムは、室内空間の下方に配置される第１の還気口を有し、このようにして、室内空間に油煙が存在していても、熱い油煙が室内空間の上方にあるので、室内空間の下方に配置された第１の還気口を介して吹き込みを行うことにより、室内機本体への油煙の侵入を効果的に防止し、室内機本体の内部をクリーンに維持し、空調システムの耐用年数が延びる。【選択図】図１
2021519912.tif 000002
【特許請求の範囲】
【請求項１】
室内空間を空調するための空調システムであって、
室内機本体を含み、前記室内機本体が、チャンバーと、前記チャンバー内に設けられる熱交換器と、を含み、
前記室内空間と前記チャンバーとを連通させ得る少なくとも１つの還気口をさらに含み、前記少なくとも１つの還気口は、第１の還気口を含み、前記室内機本体は前記室内空間の上方にあり、前記第１の還気口は前記室内空間の下方にあることを特徴とする空調システム。
【請求項２】
前記少なくとも１つの還気口は、前記室内空間の上方にある第２の還気口をさらに含み、
前記チャンバーと前記第１の還気口及び前記第２の還気口のうちの少なくとも１つとを連通させるための第１の開閉装置をさらに含む、ことを特徴とする請求項１に記載の空調システム。
【請求項３】
前記第２の還気口には、油煙検出装置が設けられることを特徴とする請求項２に記載の空調システム。
【請求項４】
前記第２の還気口と室外空間を連通させ得る排気通路をさらに含むことを特徴とする請求項２に記載の空調システム。
【請求項５】
気流駆動装置をさらに含み、前記気流駆動装置は、前記第２の還気口及び前記排気通路を通じて室外空間に排出されるように前記室内空間内の空気を駆動することを特徴とする請求項４に記載の空調システム。
【請求項６】
前記チャンバーの壁には吹き込み口が設けられ、
前記吹き込み口に連通しているエアダクト構造をさらに含み、前記還気口は前記エアダクト構造に設けられることを特徴とする請求項２に記載の空調システム。
【請求項７】
前記エアダクト構造は、前記室内機本体に連結されているメインエアダクト部と、前記メインエアダクト部に連結されている複数の分岐エアダクト部と、を含み、前記還気口は、前記分岐エアダクト部に設けられることを特徴とする請求項６に記載の空調システム。
【請求項８】
前記第１の開閉装置は、前記メインエアダクト部のキャビティに設けられ、及び／又は、
前記複数の分岐エアダクト部は、第１の分岐エアダクト部と、第２の分岐エアダクト部と、を含み、前記第１の還気口は前記第１の分岐エアダクト部に設けられ、前記第２の還気口は前記第２の分岐エアダクト部に設けられることを特徴とする請求項７に記載の空調システム。
【請求項９】
前記第１の分岐エアダクト部及び／又は前記第２の分岐エアダクト部は垂直方向に沿って延びていることを特徴とする請求項８に記載の空調システム。
【請求項１０】
前記第１の分岐エアダクト部は壁内に設けられ、前記第１の還気口は前記壁から露出していることを特徴とする請求項８に記載の空調システム。
【請求項１１】
前記空調システムは台所を空調することに用いられ、前記第１の還気口は台所内の食器棚又は前記台所の地面に近い壁に設けられ、前記第２の還気口は台所の天井又は前記天井に近い壁に設けられることを特徴とする請求項２〜１０のいずれか１項に記載の空調システム。
【請求項１２】
前記第２の還気口には、油煙検出装置が設けられ、前記制御方法は、
前記油煙検出装置の検出値が所定値以上である場合、前記第１の開閉装置を制御して前記チャンバーを前記第１の還気口だけと連通させ、及び／又は、
前記油煙検出装置の検出値が所定値未満であり、且つ室内機本体が冷房で作動している場合、前記第１の開閉装置を制御して前記チャンバーを前記第２の還気口だけと連通させ、及び／又は、
前記油煙検出装置の検出値が所定値未満であり、且つ室内機本体が暖房で作動している場合、前記第１の開閉装置を制御して前記チャンバーを前記第１の還気口だけと連通させることを特徴とする請求項２〜１１のいずれか１項に記載の空調システムの制御方法。
【請求項１３】
前記空調システムは、請求項４又は５に記載の空調システムであり、前記制御方法は、
前記油煙検出装置の検出値が所定値以上である場合、前記排気通路を開き、前記第２の還気口を室外空間と連通させることを特徴とする請求項１２に記載の空調システムの制御方法。
【発明の詳細な説明】
【技術分野】
【０００１】
本願は、２０１８年４月２３日に中国特許庁に提出された、出願番号が２０１８１０３６８５５５．Ｘ、発明の名称が「空調システム及びその制御方法」である中国特許出願の優先権を主張し、その全内容が引用により本願に組み込まれている。
【０００２】
本発明は、空調の技術分野、特に空調システム及びその制御方法に関する。
【背景技術】
【０００３】
生活水準の持続的な向上に伴い、台所の環境を改善し、使用者が調理するときのエクスペリエンスを向上させるために、台所にエアコンを取り付ける家庭が多くなり、台所では大量の油煙が発生し、油煙が台所のエアコン内に入り、台所のエアコンの耐用年数を損ないやすい。この問題に対しては、従来技術によれば、通常、台所のエアコンの還気口に油煙ろ過システムを設けるのが一般的な解決策である。たとえば、還気口にろ過網を設ける方式では、ろ過網を頻繁に交換する必要があり、且つろ過網のろ過効果が不十分であり、油煙が台所のエアコンに入ることを完全には回避できない。
【発明の概要】
【発明が解決しようとする課題】
【０００４】
上記に鑑み、本発明の目的の１つは、室内機本体への油煙の侵入を回避できる空調システム及びその制御方法を提供することにある。
【課題を解決するための手段】
【０００５】
上記目的を達成させるために、一態様では、本発明は、下記技術案を採用する。
【０００６】
室内空間を空調するための空調システムであって、
室内機本体を含み、前記室内機本体が、チャンバーと、前記チャンバー内に設けられる熱交換器と、を含み、
前記室内空間と前記チャンバーとを連通させ得る少なくとも１つの還気口をさらに含み、前記少なくとも１つの還気口は、第１の還気口を含み、前記室内機本体は前記室内空間の上方にあり、前記第１の還気口は前記室内空間の下方にある。
【０００７】
好ましくは、前記少なくとも１つの還気口は、前記室内空間の上方にある第２の還気口をさらに含み、
前記空調システムは、前記チャンバーと前記第１の還気口及び前記第２の還気口のうちの少なくとも１つとを連通させるための第１の開閉装置をさらに含む。
【０００８】
好ましくは、前記第２の還気口には、油煙検出装置が設けられる。
【０００９】
好ましくは、前記空調システムは、前記第２の還気口と室外空間を連通させる排気通路をさらに含む。
【００１０】
好ましくは、前記空調システムは、気流駆動装置をさらに含み、前記気流駆動装置は、前記第２の還気口及び前記排気通路を通じて室外空間に排出されるように前記室内空間内の空気を駆動する。
【００１１】
好ましくは、前記チャンバーの壁には吹き込み口が設けられ、
前記空調システムは、前記吹き込み口に連通しているエアダクト構造をさらに含み、前記還気口は前記エアダクト構造に設けられる。
【００１２】
好ましくは、前記エアダクト構造は、前記室内機本体に連結されているメインエアダクト部と、前記メインエアダクト部に連結されている複数の分岐エアダクト部と、を含み、前記還気口は、前記分岐エアダクト部に設けられ、
前記第１の開閉装置は、前記メインエアダクト部のキャビティに設けられ、及び／又は、
前記複数の分岐エアダクト部は、第１の分岐エアダクト部と、第２の分岐エアダクト部と、を含み、前記第１の還気口は前記第１の分岐エアダクト部に設けられ、前記第２の還気口は前記第２の分岐エアダクト部に設けられる。
【００１３】
好ましくは、前記第１の分岐エアダクト部及び／又は前記第２の分岐エアダクト部は垂直方向に沿って延びている。
【００１４】
好ましくは、前記第１の分岐エアダクト部は壁内に設けられ、前記第１の還気口は前記壁から露出している。
【００１５】
好ましくは、前記空調システムは台所を空調することに用いられ、前記第１の還気口は台所内の食器棚又は前記台所の地面に近い壁に設けられ、前記第２の還気口は台所の天井又は前記天井に近い壁に設けられる。
【００１６】
別の態様では、本発明は、下記技術案を採用する。
【００１７】
前記空調システムの制御方法であって、
前記第２の還気口には、油煙検出装置が設けられ、前記制御方法は、
前記油煙検出装置の検出値が所定値以上である場合、前記第１の開閉装置を制御して前記チャンバーを前記第１の還気口だけと連通させ、
前記油煙検出装置の検出値が所定値未満であり、且つ室内機本体が冷房で作動している場合、前記第１の開閉装置を制御して前記チャンバーを前記第２の還気口だけと連通させ、
前記油煙検出装置の検出値が所定値未満であり、且つ室内機本体が暖房で作動している場合、前記第１の開閉装置を制御して前記チャンバーを前記第１の還気口だけと連通させる。
【００１８】
好ましくは、前記制御方法は、
前記油煙検出装置の検出値が所定値以上である場合、前記排気通路を開き、前記第２の還気口を室外空間と連通させる。
【発明の効果】
【００１９】
本願に係る空調システムは、室内空間の下方にある第１の還気口を有し、このようにして、室内空間に油煙が存在していても、熱い油煙が室内空間の上方にあるので、室内空間の下方に配置された第１の還気口を介して吹き込みを行うことにより、室内機本体への油煙の侵入を効果的に防止し、室内機本体の内部をクリーンに維持し、空調システムの耐用年数が延びる。
【００２０】
以下、図面を参照しながら本発明の実施例を説明し、本発明の上記及びそれ以外の目的、特徴及び利点をより明らかにする。
【図面の簡単な説明】
【００２１】
【図１】本発明の特定実施形態に係る空調システムの構造模式図を示す。
【図２】本発明の特定実施形態に係る室内機本体とメインエアダクト部との連携を示す構造模式図の一例である。
【図３】本発明の特定実施形態に係る室内機本体とメインエアダクト部との連携を示す別の構造模式図である。
【発明を実施するための形態】
【００２２】
以下、実施例に基づいて本発明を説明するが、本発明はこれらの実施例に制限されない。本発明の主旨を明瞭にするために、公知の方法、プロセス、手順、素子については詳しく説明しない。
【００２３】
なお、当業者にとって明らかなように、ここで記載の図面は、説明の目的のみに使用され、そして、図面は実際の比例で作成するものとは限らない。
【００２４】
文脈で特に断らない限り、明細書及び特許請求の範囲を通じて、「含む」、「含み」などのような用語は、排他的又は網羅的な意味ではなく、含むという意味として理解すべきであり、つまり、「含むが、これらに制限されない」ことを意味する。
【００２５】
なお、本発明の説明において、用語「第１の」、「第２の」などは、説明の目的にのみ使用され、相対重要性を指示又は示唆するものとして理解すべきではない。さらに、本発明の説明では、特に断らない限り、「複数の」は２つ以上を意味する。
【００２６】
本願は、室内空間、特に台所内の空気を空調するための空調システムを提供し、勿論、該空調システムは、同じく空気品質についての問題を抱えているほかの室内空間にも適用できる。
【００２７】
空調システムは、エアコンの冷房、暖房、除湿などの一般的な機能を実行するための室内機本体１を含み、室内機本体１は、チャンバー、チャンバー内に設けられる熱交換器やファンなどの一般的な装置を含む。空調システムは、室内空間とチャンバーとを連通させ得る少なくとも１つの還気口をさらに含み、室内機本体１の吹き込みに用いられ、該少なくとも１つの還気口は、第１の還気口２を含む。室内機本体１は室内空間の上方にあり、なお、ここでの上方は、室内空間の頂部領域を含む。第１の還気口２は室内空間の下方にあり、なお、ここでの下方は、室内空間の底部領域を含む。第１の還気口２は室内空間の下方の空気と連通する。従って、室内空間、たとえば台所に油煙が存在していても、熱い油煙が室内空間の上方にあるので、室内空間の下方にある第１の還気口２を通じて吹き込みを行うことにより、室内機本体１への油煙の侵入を効果的に回避し、室内機本体１の内部をクリーンに維持し、空調システムの耐用年数が延びる。
【００２８】
さらに、還気口は、室内空間の上方にある第２の還気口３をさらに含む。第２の還気口３は室内空間の上方の空気と連通する。空調システムは、チャンバーと第１の還気口２及び第２の還気口３のうちの少なくとも１つとを連通させるための第１の開閉装置４をさらに含む。第１の開閉装置４は、チャンバーが第１の還気口２と連通しているときには、第２の還気口３と連通せず、チャンバーが第２の還気口３と連通しているときには、第１の還気口２と連通しないように構成されてもよい。また、第１の開閉装置４は、チャンバーを第１の還気口２だけと連通させ、または、チャンバーを第２の還気口３だけと連通させるように構成されてもよく、あるいは、チャンバーを第１の還気口２と第２の還気口３の両方と連通させるように構成されてもよく、チャンバーを第１の還気口２及び第２の還気口３と連通させないように構成されてもよい。このようにして、室内空間に油煙がある場合、第１の還気口２を通じて吹き込みを行い、それにより、室内機本体１内への油煙の侵入を回避し、室内空間に油煙がなく、室内機本体１が冷房を行う場合、第２の還気口３を通じて吹き込みを行うことにより、室内機本体１の室内空間に対する冷房効率（冷空気が下部に沈下するため、下方の第１の還気口２を通じて吹き込みを行えば、熱空気が室内機本体１に戻って熱交換することに不利となる）を確保する。なお、室内機本体１が暖房を行う場合、第１の還気口２を通じて吹き込みを行うことにより、室内機本体１の室内空間に対する暖房効率（熱空気が上方へ上がるので、上方の第２の還気口３を通じて吹き込みを行えば、冷空気が回室内機本体１に戻って熱交換することに不利となる）を確保することができる。
【００２９】
好ましくは、該空調システムが台所に適用される場合、台所内の空気をクリーンに維持するために、第１の還気口２は台所の食器棚又は台所の床に近い壁に設けられ、第２の還気口３は台所の天井又は天井に近い壁に設けられるようにしてもよい。
【００３０】
さらに、還気口の設置の便利さから、好ましくは、空調システムは、チャンバーの吹き込み口１１に連通しているエアダクト構造５をさらに含む。還気口をエアダクト構造５に設けると、室内機本体１の位置及び向き状態がより柔軟に設定できるようになり、室内機本体１は、縦型（図３参照）として設置されてもよく、横型（図２参照）として設置されてもよく、また、天井に設けられてもよく、食器棚内に設けられてもよい。室内機本体１の構造については、たとえば、床置き−天井吊りユニットとしてもよく、実際の状況に応じて取り付け方式を選択できるが、住宅用エアコン機としてもよい。
【００３１】
１つの具体的な実施例において、エアダクト構造５は、室内機本体１に連結されているメインエアダクト部５１と、メインエアダクト部５１に連結されている複数の分岐エアダクト部と、を含む。メインエアダクト部５１と分岐エアダクト部は、一体構造としてもよいし、粘着や溶接などの手段で取り外し不能に接続されてもよいし、また、取り外し可能に接続されてもよく、たとえば、係合、挿接、留め具による接続などの方式で接続することにより、エアダクト構造の取り外しが容易になる。１つの特定実施例では、メインエアダクト部５１には、複数のインターフェースが設けられ、分岐エアダクト部がインターフェースに差し込まれ、それにより、メインエアダクト部５１と分岐エアダクト部が接続される。さらに、各還気口は分岐エアダクト部に設けられ、たとえば、図１に示す実施例では、複数の分岐エアダクト部は、第１の分岐エアダクト部５２と、第２の分岐エアダクト部５３と、を含み、第１の還気口２は、第１の分岐エアダクト部５２に設けられる。具体的には、第１の分岐エアダクト部５２の一端は第１のインターフェース５１１を介してメインエアダクト部５１に接続される。第１の還気口２は第１の分岐エアダクト部５２の他端に設けられ、第１の還気口２は第１の分岐エアダクト部５２を通じて室内空間の下方にガイドされる。第２の還気口３は第２の分岐エアダクト部５３に設けられる。具体的には、第２の分岐エアダクト部５３の一端は第２のインターフェース５１２を介してメインエアダクト部５１に接続される。第２の還気口３は第２の分岐エアダクト部５３の他端に設けられ、第２の還気口３は第２の分岐エアダクト部５３を介して室内空間の上方にガイドされる。なお、同一の分岐エアダクトに複数の還気口が設けられて、異なる還気口を閉塞させることで異なる位置での吹き込みを行うようにしてもよい。
【００３２】
通常、室内機本体１が空間の頂部又は頂部に近い上方区域に設けられるため、第１の分岐エアダクト部５２の長さが大きく、省スペースのために、好ましくは、第１の分岐エアダクト部５２は壁に埋設される。
【００３３】
さらに、第１の開閉装置４は、第１の還気口２及び第２の還気口３又は各分岐エアダクト部内に設けられるエアバルプであってもよい。制御し易さから、好ましくは、第１の開閉装置４はメインエアダクト部５１のキャビティに設けられる。１つの実施例では、第１の開閉装置４は、第１のインターフェース５１１と第２のインターフェース５１２との間に設けられる第１のセパレータ４１と、第１のセパレータ４１にヒンジ連結された第１のストッパ４２と、第１のストッパ４２を回動駆動するための第１の駆動装置（未図示）と、を含む。第１のストッパ４２が第１のインターフェース５１１の方向へ反転して第１のインターフェース５１１と吹き込み口１１との間の壁に当接すると、第１のストッパ４２は第１のインターフェース５１１と吹き込み口１１をオフにし、第２のインターフェース５１２と吹き込み口１１を連通させ、第２の還気口３を通じて吹き込みを行う。一方、第１のストッパ４２が第２のインターフェース５１２の方向へ反転して第２のインターフェース５１２と吹き込み口１１との間の壁に当接すると、第１のストッパ４２は第２のインターフェース５１２と吹き込み口１１をオフにし、第１のインターフェース５１１と吹き込み口１１を連通させ、第１の還気口２を通じて吹き込みを行う。
【００３４】
さらに、空調システムは、第２の還気口３と室外空間とを連通させ得る排気通路６をさらに含む。これにより、室内空間内の空気が第２の還気口３と排気通路６を介して室外に排出でき、室内に油煙がある場合、天井付近に集まった油煙が第２の還気口３と排気通路６を通じて室外に排出され、油煙による天井の汚染が効果的に回避され得る。
【００３５】
さらに好ましくは、空調システムは、室内空間内の空気が第２の還気口３と排気通路６を介して室外空間に排出させることを駆動するための気流駆動装置７をさらに含む。気流駆動装置７は、油煙を排出するための補助力を供給し、油煙をできるだけ早く室外に排出することを可能にして、天井への油煙の固化をさらに回避する。気流駆動装置７は、たとえばファンであってもよく、好ましくは、油煙を移動させるためにできる限り多くの駆動力を供給するように、第２の分岐エアダクト部５３のキャビティに設けられる。
【００３６】
さらに、空調システムは、排気通路６と第２の還気口３を連通又は遮断するための第２の開閉装置８をさらに含む。第２の開閉装置８は、たとえばエアバルプであってもよい。図２及び３に示すように、第２の開閉装置８は、第２のストッパ８１と、第２のストッパ８１を回動駆動する第２の駆動装置（未図示）と、を含む。第２のストッパ８１は、図２に示すように、排気通路６の一方側の縁部にヒンジ連結されてもよい。排気通路６の一方側の縁部とは反対側の縁部に当接するように第２のストッパ８１を第２の駆動装置が駆動する場合、第２のストッパ８１は排気通路６を閉じて、第２の還気口３が排気通路６と連通しないようにし、一方、第１のセパレータ４１に当接するように第２のストッパ８１を第２の駆動装置が駆動する場合、第２のストッパ８１は排気通路６を開き、第２の還気口３が排気通路６と連通し、且つ第２の還気口３が吹き込み口１１と連通しない。別の実施例では、図３に示すように、第２の開閉装置８は、排気通路６と並べて設けられる第２のセパレータ８２をさらに含む。第２のセパレータ８２は第１のセパレータ４１と排気通路６との間に設けられ、第２のセパレータ８２の一方側の辺がメインエアダクト部５１の一方側の壁に連結され、第２のストッパ８１は第２のセパレータ８２の反対側の辺にヒンジ連結される。第２のストッパ８１が第２のインターフェース５１２と排気通路６との間の壁に当接すると、第２のストッパ８１は排気通路６を閉じて、第２の還気口３が排気通路６と連通しないようにし、一方、第２のストッパ８１がメインエアダクト部５１の一方側の壁に対向する反対側の壁に当接すると、第２のストッパ８１は、第２の還気口３と排気通路６を連通させ、且つ第２の還気口３が吹き込み口１１と連通しない。
【００３７】
さらに、第２の還気口３には油煙検出装置９が設けられ、油煙検出装置９は、たとえば第２の分岐エアダクト部５３内に設けられる。油煙検出装置９の検出値に基づいて室内空間内の空気に油煙があるか否かを判断し、それに基づいて対応する制御を行う。たとえば、油煙検出装置９の検出値が所定値以上である場合、第１の開閉装置４を制御してチャンバーを第１の還気口２だけと連通させる。この場合、過量の油煙が室内機本体１内に入らないように、室内機本体１は第１の還気口２を通じて吹き込みを行う。油煙検出装置９の検出値が所定値未満であり、室内機本体１が冷房で作動している場合、室内機本体１による冷房効果を確保するように、第１の開閉装置４を制御してチャンバーを第２の還気口３だけと連通させ、油煙検出装置９の検出値が所定値未満であり、室内機本体１が暖房で作動している場合、室内機本体１の暖房効果を確保するように、第１の開閉装置４を制御してチャンバーを第１の還気口２だけと連通させる。
【００３８】
さらに好ましくは、油煙検出装置９の検出値が所定値以上である場合、排気通路６を開き、第２の還気口３と室外空間を連通させ、また、気流駆動装置７を起動させてもよい。これにより、上方空間に上がった油煙が第２の還気口３と排気通路６を介して素早く室外に排出され、天井がクリーンに維持される。
【００３９】
本願に係る空調システムは、室内空間の下方にある第１の還気口２を有する。従って、室内空間に油煙が存在していても、熱い油煙が室内空間の上方にあるので、室内空間の下方に配置された第１の還気口２を介して吹き込みを行うことにより、室内機本体１への油煙の侵入を効果的に防止し、室内機本体１の内部をクリーンに維持し、空調システムの耐用年数が延びる。
【００４０】
当業者が容易に理解できるように、矛盾しない限り、上記各好適な形態は自在に組み合わせたり、融合したりすることができる。
【００４１】
なお、上記実施形態は例示的なものに過ぎず、限定的なものではなく、本発明の基本的な原理を逸脱することなく、当業者は、上記詳細について各種の明らかな又は等同の修正や置換を行うことができ、それらはすべて本発明の特許請求の範囲に含まれる。
【符号の説明】
【００４２】
１、室内機本体
１１、吹き込み口
２、第１の還気口
３、第２の還気口
４、第１の開閉装置
４１、第１のセパレータ
４２、第１のストッパ
５、エアダクト構造
５１、メインエアダクト部
５１１、第１のインターフェース
５１２、第２のインターフェース
５２、第１の分岐エアダクト部
５３、第２の分岐エアダクト部
６、排気通路
７、気流駆動装置
８、第２の開閉装置
８１、第２のストッパ
８２、第２のセパレータ
９、油煙検出装置
【図１】
2021519912.tif 000003
【図２】
2021519912.tif 000004
【図３】
2021519912.tif 000005
【手続補正書】
【提出日】令和2年11月12日(2020.11.12)
【手続補正１】
【補正対象書類名】明細書
【補正対象項目名】０００９
【補正方法】変更
【補正の内容】
【０００９】
好ましくは、前記空調システムは排気通路をさらに含み、前記排気通路は、前記第２の還気口と室外空間を連通させる。
【手続補正２】
【補正対象書類名】明細書
【補正対象項目名】００３１
【補正方法】変更
【補正の内容】
【００３１】
１つの具体的な実施例において、エアダクト構造５は、室内機本体１に連結されているメインエアダクト部５１と、メインエアダクト部５１に連結されている複数の分岐エアダクト部と、を含む。メインエアダクト部５１と分岐エアダクト部は、一体構造としてもよいし、粘着や溶接などの手段で取り外し不能に接続されてもよいし、また、取り外し可能に接続されてもよく、たとえば、係合、挿接、留め具による接続などの方式で接続することにより、エアダクト構造の取り外しが容易になる。１つの特定実施例では、メインエアダクト部５１には、複数のインターフェースが設けられ、分岐エアダクト部がインターフェースに差し込まれ、それにより、メインエアダクト部５１と分岐エアダクト部が接続される。さらに、各還気口は分岐エアダクト部に設けられ、たとえば、図１に示す実施例では、複数の分岐エアダクト部は、第１の分岐エアダクト部５２と、第２の分岐エアダクト部５３と、を含み、第１の還気口２は、第１の分岐エアダクト部５２に設けられる。具体的には、第１の分岐エアダクト部５２の一端は第１のインターフェース５１１を介してメインエアダクト部５１に接続される。第１の還気口２は第１の分岐エアダクト部５２の他端に設けられ、第１の還気口２は第１の分岐エアダクト部５２を通じて室内空間の下方にガイドされる。第２の還気口３は第２の分岐エアダクト部５３に設けられる。具体的には、第２の分岐エアダクト部５３の一端は第２のインターフェース５１２を介してメインエアダクト部５１に接続される。第２の還気口３は第２の分岐エアダクト部５３の他端に設けられ、第２の還気口３は第２の分岐エアダクト部５３を介して室内空間の上方にガイドされる。なお、同一の分岐エアダクトに複数の還気口が設けられて、異なる還気口を閉塞させることで異なる位置での吹き込みを行うようにしてもよい。１つの実施例において、図１に示すように、第１の分岐エアダクト部５２及び第２の分岐エアダクト部５３は垂直方向に沿って延びている。或いは、第１の分岐エアダクト部５２又は第２の分岐エアダクト部５３は垂直方向に沿って延びている。
【手続補正３】
【補正対象書類名】特許請求の範囲
【補正対象項目名】全文
【補正方法】変更
【補正の内容】
【特許請求の範囲】
【請求項１】
室内空間を空調するための空調システムであって、
室内機本体（１）を含み、前記室内機本体（１）が、チャンバーと、前記チャンバー内に設けられる熱交換器と、を含み、
前記室内空間と前記チャンバーとを連通させ得る少なくとも１つの還気口をさらに含み、前記少なくとも１つの還気口は、第１の還気口（２）を含み、前記室内機本体（１）は前記室内空間の上方にあり、前記第１の還気口は前記室内空間の下方にあることを特徴とする空調システム。
【請求項２】
前記少なくとも１つの還気口は、前記室内空間の上方にある第２の還気口（３）をさらに含み、
前記チャンバーと前記第１の還気口（２）及び前記第２の還気口（３）のうちの少なくとも１つとを連通させるための第１の開閉装置（４）をさらに含むことを特徴とする請求項１に記載の空調システム。
【請求項３】
前記第２の還気口（３）には、油煙検出装置が設けられることを特徴とする請求項２に記載の空調システム。
【請求項４】
排気通路（６）をさらに含み、前記排気通路（６）は、前記第２の還気口（３）と室外空間を連通させることを特徴とする請求項２に記載の空調システム。
【請求項５】
気流駆動装置（７）をさらに含み、前記気流駆動装置（７）は、前記第２の還気口（３）及び前記排気通路（６）を通じて室外空間に排出されるように前記室内空間内の空気を駆動することを特徴とする請求項４に記載の空調システム。
【請求項６】
前記チャンバーの壁には吹き込み口（１１）が設けられ、
前記吹き込み口（１１）に連通しているエアダクト構造（５）をさらに含み、前記還気口（２，３）は前記エアダクト構造（５）に設けられることを特徴とする請求項２に記載の空調システム。
【請求項７】
前記エアダクト構造（５）は、前記室内機本体（１）に連結されているメインエアダクト部（５１）と、前記メインエアダクト部（５１）に連結されている複数の分岐エアダクト部と、を含み、前記還気口（２，３）は、前記分岐エアダクト部に設けられることを特徴とする請求項６に記載の空調システム。
【請求項８】
前記第１の開閉装置（４）は、前記メインエアダクト部（５１）のキャビティに設けられ、及び／又は、
前記複数の分岐エアダクト部は、第１の分岐エアダクト部（５２）と、第２の分岐エアダクト部（５３）と、を含み、前記第１の還気口（２）は前記第１の分岐エアダクト部（５２）に設けられ、前記第２の還気口（３）は前記第２の分岐エアダクト部（５３）に設けられることを特徴とする請求項７に記載の空調システム。
【請求項９】
前記第１の分岐エアダクト部（５２）及び／又は前記第２の分岐エアダクト部（５３）は垂直方向に沿って延びていることを特徴とする請求項８に記載の空調システム。
【請求項１０】
前記第１の分岐エアダクト部（５２）は壁内に設けられ、前記第１の還気口（２）は前記壁から露出していることを特徴とする請求項８に記載の空調システム。
【請求項１１】
前記空調システムは台所を空調することに用いられ、前記第１の還気口（２）は台所内の食器棚又は前記台所の地面に近い壁に設けられ、前記第２の還気口（３）は台所の天井又は前記天井に近い壁に設けられることを特徴とする請求項２〜１０のいずれか１項に記載の空調システム。
【請求項１２】
前記第２の還気口（３）には、油煙検出装置（９）が設けられ、前記制御方法は、
前記油煙検出装置（９）の検出値が所定値以上である場合、前記第１の開閉装置（４）を制御して前記チャンバーを前記第１の還気口（２）だけと連通させ、及び／又は、
前記油煙検出装置（９）の検出値が所定値未満であり、且つ室内機本体（１）が冷房で作動している場合、前記第１の開閉装置（４）を制御して前記チャンバーを前記第２の還気口（３）だけと連通させ、及び／又は、
前記油煙検出装置（９）の検出値が所定値未満であり、且つ室内機本体（１）が暖房で作動している場合、前記第１の開閉装置（４）を制御して前記チャンバーを前記第１の還気口（２）だけと連通させることを特徴とする請求項２〜１１のいずれか１項に記載の空調システムの制御方法。
【請求項１３】
前記空調システムは、請求項４又は５に記載の空調システムであり、前記制御方法は、
前記油煙検出装置（９）の検出値が所定値以上である場合、前記排気通路（６）を開き、前記第２の還気口（３）を室外空間と連通させることを特徴とする請求項１２に記載の空調システムの制御方法。
【国際調査報告】
2021519912.tif 000006
2021519912.tif 000007
2021519912.tif 000008
2021519912.tif 000009
2021519912.tif 000010
2021519912.tif 000011